(57)【要約】【課題】  移動先の地域向けのデータ放送を受信する端末装置を実現する。【解決手段】  受信したデータ放送に付与される送信先ＩＤと一致する基地局ＩＤが移動履歴テーブルＴ１に登録され、受信対象エリア内に位置していると判断されると、受信データを表示部１０８に画面表示するので、移動先の地域向けのデータ放送を受信することができる。また、近接テーブルＴ２を参照して、その受信対象エリアに近付いていると判断されると、受信対象エリア内に位置していなくとも、移動先の地域向けのデータ放送を受信することができる。【選択図】  図６
2005341113.tif 000002
【特許請求の範囲】
【請求項１】
通信網側に位置登録した基地局ＩＤを記録する移動履歴記録手段と、
受信対象エリアを前記基地局ＩＤで表した送信先ＩＤが付与された放送を受信する受信手段と、
前記受信手段が受信した放送に付与された送信先ＩＤと一致する基地局ＩＤが前記移動履歴記録手段に記録されている場合、受信対象エリアに位置していると判定する判定手段と、
前記判定手段にて受信対象エリアに位置していると判定された場合に、前記受信手段が受信した放送の内容を表示する表示手段と
を具備することを特徴とする端末装置。
【請求項２】
通信網側に位置登録した基地局ＩＤを記録する移動履歴記録手段と、
受信対象エリアを前記基地局ＩＤで表した送信先ＩＤが付与された放送を受信する受信手段と、
前記受信手段が受信した放送に付与された送信先ＩＤと一致する基地局ＩＤが前記移動履歴記録手段に記録されている場合、受信対象エリアに位置していると判定する判定手段と、
前記判定手段にて受信対象エリアに位置していると判定された場合に、前記受信手段が受信した放送の内容を表示する第１の表示手段と、
前記移動履歴記録手段に記録される現在の基地局ＩＤとその直前の基地局ＩＤとに応じて定まる移動経路が受信対象エリアに近付いているか否かを判定する近接判定手段と、
前記判定手段にて受信対象エリアに位置していないと判定されても、前記近接判定手段が受信対象エリアに近付いていると判定した場合に、前記受信手段が受信した放送の内容を表示する第２の表示手段と
を具備することを特徴とする端末装置。
【請求項３】
通信網側に位置登録した基地局ＩＤおよび位置登録時の時刻を記録する移動履歴記録手段と、
受信対象エリアを前記基地局ＩＤで表した送信先ＩＤが付与された放送を受信する受信手段と、
前記受信手段が受信した放送に付与された送信先ＩＤと一致する基地局ＩＤが前記移動履歴記録手段に記録されている場合、受信対象エリアに位置していると判定する判定手段と、
前記判定手段にて受信対象エリアに位置していると判定された場合に、前記受信手段が受信した放送の内容を表示する第１の表示手段と、
前記移動履歴記録手段に記録される現在の基地局ＩＤとその直前の基地局ＩＤとに応じて定まる移動経路が受信対象エリアに近付いているか否かを判定すると共に、現在の基地局ＩＤとその直前の基地局ＩＤとを位置登録した時の時刻から移動時間を算出する近接判定手段と、
前記判定手段にて受信対象エリアに位置していないと判定されても、前記近接判定手段が受信対象エリアに近付いていると判定した場合には前記受信手段が受信した放送の内容を表示し、一方、受信対象エリアに近付く際の移動時間が所定時間を超える場合には表示を中止する第２の表示手段と
を具備することを特徴とする端末装置。
【請求項４】
通信網側に位置登録した基地局ＩＤを記録する移動履歴記録手段と、
受信対象エリアを前記基地局ＩＤで表した送信先ＩＤが付与された放送を受信する受信手段と、
前記受信手段が受信した放送に付与された送信先ＩＤと一致する基地局ＩＤが前記移動履歴記録手段に記録されている場合、受信対象エリアに位置していると判定する判定手段と、
前記判定手段にて受信対象エリアに位置していると判定された場合に、前記受信手段が受信した放送の内容を表示する表示手段と、
前記移動履歴記録手段に記録される現在の基地局ＩＤとその直前の基地局ＩＤとに応じて定まる移動経路が受信対象エリアから遠退いているか否かを判定する遠離判定手段と、
前記判定手段にて受信対象エリアに位置していると判定されても、前記遠離判定手段が受信対象エリアから遠退いていると判定した場合には前記表示手段の表示を停止する表示停止手段と
を具備することを特徴とする端末装置。
【請求項５】
通信網側に位置登録した基地局ＩＤおよび位置登録時の時刻を記録する移動履歴記録手段と、
受信対象エリアを前記基地局ＩＤで表した送信先ＩＤが付与された放送を受信する受信手段と、
前記受信手段が受信した放送に付与された送信先ＩＤと一致する基地局ＩＤが前記移動履歴記録手段に記録されている場合、受信対象エリアに位置していると判定する判定手段と、
前記判定手段にて受信対象エリアに位置していると判定された場合に、前記受信手段が受信した放送の内容を表示する第１の表示手段と、
前記移動履歴記録手段に記録される現在の基地局ＩＤとその直前の基地局ＩＤとに応じて定まる移動経路が受信対象エリアから遠退いているか否かを判定すると共に、現在の基地局ＩＤとその直前の基地局ＩＤとを位置登録した時の時刻から移動時間を算出する遠離判定手段と、
前記判定手段にて受信対象エリアに位置していると判定されても、前記遠離判定手段が受信対象エリアから遠退いていると判定した場合には前記受信手段が受信した放送の内容の表示を中止し、一方、受信対象エリアから遠退く際の移動時間が所定時間を超える場合には前記受信手段が受信した放送の内容を表示する第２の表示手段と
を具備することを特徴とする端末装置。
【請求項６】
通信網側に位置登録した基地局ＩＤを記録する移動履歴記録手段と、
受信対象エリアを前記基地局ＩＤで表した送信先ＩＤが付与された放送を受信する受信手段と、
前記受信手段が受信した放送に付与された送信先ＩＤと一致する基地局ＩＤが前記移動履歴記録手段に記録されている場合、受信対象エリアに位置していると判定する判定手段と、
前記判定手段にて受信対象エリアに位置していると判定された場合に、前記受信手段が受信した放送の内容を表示する第１の表示手段と、
前記移動履歴記録手段に記録される現在の基地局ＩＤとその直前の基地局ＩＤとに応じて定まる移動経路が受信対象エリアに近付いているか遠退いているかを判定する近接遠離判定手段と、
前記判定手段にて受信対象エリアに位置していないと判定されても、前記近接遠離判定手段が受信対象エリアに近付いていると判定した場合に、前記受信手段が受信した放送の内容を表示する第２の表示手段と、
前記判定手段にて受信対象エリアに位置していると判定されても、前記近接遠離判定手段が受信対象エリアから遠退いていると判定した場合に、前記第１の表示手段の表示を停止する表示停止手段と
を具備することを特徴とする端末装置。
【請求項７】
通信網側に位置登録した基地局ＩＤおよび位置登録時の時刻を記録する移動履歴記録手段と、
受信対象エリアを前記基地局ＩＤで表した送信先ＩＤが付与された放送を受信する受信手段と、
前記受信手段が受信した放送に付与された送信先ＩＤと一致する基地局ＩＤが前記移動履歴記録手段に記録されている場合、受信対象エリアに位置していると判定する判定手段と、
前記判定手段にて受信対象エリアに位置していると判定された場合に、前記受信手段が受信した放送の内容を表示する第１の表示手段と、
前記移動履歴記録手段に記録される現在の基地局ＩＤとその直前の基地局ＩＤとに応じて定まる移動経路が受信対象エリアに近付いているか遠退いているかを判定すると共に、現在の基地局ＩＤとその直前の基地局ＩＤとを位置登録した時の時刻から移動時間を算出する近接遠離判定手段と、
前記判定手段にて受信対象エリアに位置していないと判定されても、前記近接遠離判定手段が受信対象エリアに近付いていると判定した場合には前記受信手段が受信した放送の内容を表示し、一方、受信対象エリアに近付く際の移動時間が所定時間を超える場合には表示を中止する第２の表示手段と、
前記判定手段にて受信対象エリアに位置していると判定されても、前記近接遠離判定手段が受信対象エリアから遠退いていると判定した場合には前記受信手段が受信した放送の内容の表示を中止し、一方、受信対象エリアから遠退く際の移動時間が所定時間を超える場合には前記受信手段が受信した放送の内容を表示する第３の表示手段と
を具備することを特徴とする端末装置。
【請求項８】
通信網側に位置登録した基地局ＩＤを記録する移動履歴記録処理と、
受信対象エリアを前記基地局ＩＤで表した送信先ＩＤが付与された放送を受信する受信処理と、
前記受信処理が受信した放送に付与された送信先ＩＤと一致する基地局ＩＤが前記移動履歴記録処理にて記録されている場合、受信対象エリアに位置していると判定する判定処理と、
前記判定処理にて受信対象エリアに位置していると判定された場合に、前記受信処理が受信した放送の内容を表示する表示処理と
をコンピュータで実行させることを特徴とする端末処理プログラム。
【請求項９】
通信網側に位置登録した基地局ＩＤを記録する移動履歴記録処理と、
受信対象エリアを前記基地局ＩＤで表した送信先ＩＤが付与された放送を受信する受信処理と、
前記受信処理が受信した放送に付与された送信先ＩＤと一致する基地局ＩＤが前記移動履歴記録処理にて記録されている場合、受信対象エリアに位置していると判定する判定処理と、
前記判定処理にて受信対象エリアに位置していると判定された場合に、前記受信処理が受信した放送の内容を表示する第１の表示処理と、
前記移動履歴記録処理にて記録される現在の基地局ＩＤとその直前の基地局ＩＤとに応じて定まる移動経路が受信対象エリアに近付いているか否かを判定する近接判定処理と、
前記判定処理にて受信対象エリアに位置していないと判定されても、前記近接判定処理が受信対象エリアに近付いていると判定した場合に、前記受信処理が受信した放送の内容を表示する第２の表示処理と
をコンピュータで実行させることを特徴とする端末処理プログラム。
【請求項１０】
通信網側に位置登録した基地局ＩＤおよび位置登録時の時刻を記録する移動履歴記録処理と、
受信対象エリアを前記基地局ＩＤで表した送信先ＩＤが付与された放送を受信する受信処理と、
前記受信処理が受信した放送に付与された送信先ＩＤと一致する基地局ＩＤが前記移動履歴記録処理にて記録されている場合、受信対象エリアに位置していると判定する判定処理と、
前記判定処理にて受信対象エリアに位置していると判定された場合に、前記受信処理が受信した放送の内容を表示する第１の表示処理と、
前記移動履歴記録処理にて記録される現在の基地局ＩＤとその直前の基地局ＩＤとに応じて定まる移動経路が受信対象エリアに近付いているか否かを判定すると共に、現在の基地局ＩＤとその直前の基地局ＩＤとを位置登録した時の時刻から移動時間を算出する近接判定処理と、
前記判定処理にて受信対象エリアに位置していないと判定されても、前記近接判定処理が受信対象エリアに近付いていると判定した場合には前記受信処理が受信した放送の内容を表示し、一方、受信対象エリアに近付く際の移動時間が所定時間を超える場合には表示を中止する第２の表示処理と
をコンピュータで実行させることを特徴とする端末処理プログラム。
【請求項１１】
通信網側に位置登録した基地局ＩＤを記録する移動履歴記録処理と、
受信対象エリアを前記基地局ＩＤで表した送信先ＩＤが付与された放送を受信する受信処理と、
前記受信処理が受信した放送に付与された送信先ＩＤと一致する基地局ＩＤが前記移動履歴記録処理にて記録されている場合、受信対象エリアに位置していると判定する判定処理と、
前記判定処理にて受信対象エリアに位置していると判定された場合に、前記受信処理が受信した放送の内容を表示する表示処理と、
前記移動履歴記録処理にて記録される現在の基地局ＩＤとその直前の基地局ＩＤとに応じて定まる移動経路が受信対象エリアから遠退いているか否かを判定する遠離判定処理と、
前記判定処理にて受信対象エリアに位置していると判定されても、前記遠離判定処理が受信対象エリアから遠退いていると判定した場合には前記表示処理の表示を停止する表示停止処理と
をコンピュータで実行させることを特徴とする端末処理プログラム。
【請求項１２】
通信網側に位置登録した基地局ＩＤおよび位置登録時の時刻を記録する移動履歴記録処理と、
受信対象エリアを前記基地局ＩＤで表した送信先ＩＤが付与された放送を受信する受信処理と、
前記受信処理が受信した放送に付与された送信先ＩＤと一致する基地局ＩＤが前記移動履歴記録処理にて記録されている場合、受信対象エリアに位置していると判定する判定処理と、
前記判定処理にて受信対象エリアに位置していると判定された場合に、前記受信処理が受信した放送の内容を表示する第１の表示処理と、
前記移動履歴記録処理にて記録される現在の基地局ＩＤとその直前の基地局ＩＤとに応じて定まる移動経路が受信対象エリアから遠退いているか否かを判定すると共に、現在の基地局ＩＤとその直前の基地局ＩＤとを位置登録した時の時刻から移動時間を算出する遠離判定処理と、
前記判定処理にて受信対象エリアに位置していると判定されても、前記遠離判定処理が受信対象エリアから遠退いていると判定した場合には前記受信処理が受信した放送の内容の表示を中止し、一方、受信対象エリアから遠退く際の移動時間が所定時間を超える場合には前記受信処理が受信した放送の内容を表示する第２の表示処理と
をコンピュータで実行させることを特徴とする端末処理プログラム。
【請求項１３】
通信網側に位置登録した基地局ＩＤを記録する移動履歴記録処理と、
受信対象エリアを前記基地局ＩＤで表した送信先ＩＤが付与された放送を受信する受信処理と、
前記受信処理が受信した放送に付与された送信先ＩＤと一致する基地局ＩＤが前記移動履歴記録処理にて記録されている場合、受信対象エリアに位置していると判定する判定処理と、
前記判定処理にて受信対象エリアに位置していると判定された場合に、前記受信処理が受信した放送の内容を表示する第１の表示処理と、
前記移動履歴記録処理にて記録される現在の基地局ＩＤとその直前の基地局ＩＤとに応じて定まる移動経路が受信対象エリアに近付いているか遠退いているかを判定する近接遠離判定処理と、
前記判定処理にて受信対象エリアに位置していないと判定されても、前記近接遠離判定処理が受信対象エリアに近付いていると判定した場合に、前記受信処理が受信した放送の内容を表示する第２の表示処理と、
前記判定処理にて受信対象エリアに位置していると判定されても、前記近接遠離判定処理が受信対象エリアから遠退いていると判定した場合に、前記第１の表示処理の表示を停止する表示停止処理と
をコンピュータで実行させることを特徴とする端末処理プログラム。
【請求項１４】
通信網側に位置登録した基地局ＩＤおよび位置登録時の時刻を記録する移動履歴記録処理と、
受信対象エリアを前記基地局ＩＤで表した送信先ＩＤが付与された放送を受信する受信処理と、
前記受信処理が受信した放送に付与された送信先ＩＤと一致する基地局ＩＤが前記移動履歴記録処理にて記録されている場合、受信対象エリアに位置していると判定する判定処理と、
前記判定処理にて受信対象エリアに位置していると判定された場合に、前記受信処理が受信した放送の内容を表示する第１の表示処理と、
前記移動履歴記録処理にて記録される現在の基地局ＩＤとその直前の基地局ＩＤとに応じて定まる移動経路が受信対象エリアに近付いているか遠退いているかを判定すると共に、現在の基地局ＩＤとその直前の基地局ＩＤとを位置登録した時の時刻から移動時間を算出する近接遠離判定処理と、
前記判定処理にて受信対象エリアに位置していないと判定されても、前記近接遠離判定処理が受信対象エリアに近付いていると判定した場合には前記受信処理が受信した放送の内容を表示し、一方、受信対象エリアに近付く際の移動時間が所定時間を超える場合には表示を中止する第２の表示処理と、
前記判定処理にて受信対象エリアに位置していると判定されても、前記近接遠離判定処理が受信対象エリアから遠退いていると判定した場合には前記受信処理が受信した放送の内容の表示を中止し、一方、受信対象エリアから遠退く際の移動時間が所定時間を超える場合には前記受信処理が受信した放送の内容を表示する第３の表示処理と
をコンピュータで実行させることを特徴とする端末処理プログラム。
【発明の詳細な説明】
【技術分野】
【０００１】
本発明は、放送を受信する機能を備えた端末装置および端末処理プログラムに関する。
【背景技術】
【０００２】
地上デジタルテレビ放送では、１チャンネル当り約６ＭＨｚの伝送帯域幅を１３のセグメント（ＯＦＤＭセグメント）に分割し、その中央の１セグメントに移動受信用に割当てており、近年、そのセグメントで放送される番組を受信する機能を搭載した携帯電話などの端末装置が開発されている。また、地上デジタルテレビ放送では、天気予報やニュースなど全国放送に加えて、放送地域内の情報を放送する所謂ローカル放送的なコンテンツを含むデータ放送も行われる。そうしたデータ放送を受信する場合には、受信側で自己の地域コード（例えば郵便番号）に基づいて受信データから該当する地域向けのコンテンツを選択して受信するようになっており、この種の技術については、例えば特許文献１に開示されている。
【０００３】
【特許文献１】特開平１１−２０５２５７号公報
【発明の開示】
【発明が解決しようとする課題】
【０００４】
ところで、上記特許文献１に開示の技術は、固定受信を前提にしているため、携帯電話に代表される端末装置などに搭載されて移動受信する形態では、上述した地域コードを移動先に応じて変更し得ず、これ故、移動先の地域向けのデータ放送を受信することができない、という問題がある。
そこで本発明は、このような事情に鑑みてなされたもので、移動先の地域向けのデータ放送を受信することができる端末装置および端末処理プログラムを提供することを目的としている。
【課題を解決するための手段】
【０００５】
上記目的を達成するため、請求項１に記載の発明では、通信網側に位置登録した基地局ＩＤを記録する移動履歴記録手段と、受信対象エリアを前記基地局ＩＤで表した送信先ＩＤが付与された放送を受信する受信手段と、前記受信手段が受信した放送に付与された送信先ＩＤと一致する基地局ＩＤが前記移動履歴記録手段に記録されている場合、受信対象エリアに位置していると判定する判定手段と、前記判定手段にて受信対象エリアに位置していると判定された場合に、前記受信手段が受信した放送の内容を表示する表示手段とを具備することを特徴とする。
【０００６】
請求項２に記載の発明では、通信網側に位置登録した基地局ＩＤを記録する移動履歴記録手段と、受信対象エリアを前記基地局ＩＤで表した送信先ＩＤが付与された放送を受信する受信手段と、前記受信手段が受信した放送に付与された送信先ＩＤと一致する基地局ＩＤが前記移動履歴記録手段に記録されている場合、受信対象エリアに位置していると判定する判定手段と、前記判定手段にて受信対象エリアに位置していると判定された場合に、前記受信手段が受信した放送の内容を表示する第１の表示手段と、前記移動履歴記録手段に記録される現在の基地局ＩＤとその直前の基地局ＩＤとに応じて定まる移動経路が受信対象エリアに近付いているか否かを判定する近接判定手段と、前記判定手段にて受信対象エリアに位置していないと判定されても、前記近接判定手段が受信対象エリアに近付いていると判定した場合に、前記受信手段が受信した放送の内容を表示する第２の表示手段とを具備することを特徴とする。
【０００７】
請求項３に記載の発明では、通信網側に位置登録した基地局ＩＤおよび位置登録時の時刻を記録する移動履歴記録手段と、受信対象エリアを前記基地局ＩＤで表した送信先ＩＤが付与された放送を受信する受信手段と、前記受信手段が受信した放送に付与された送信先ＩＤと一致する基地局ＩＤが前記移動履歴記録手段に記録されている場合、受信対象エリアに位置していると判定する判定手段と、前記判定手段にて受信対象エリアに位置していると判定された場合に、前記受信手段が受信した放送の内容を表示する第１の表示手段と、前記移動履歴記録手段に記録される現在の基地局ＩＤとその直前の基地局ＩＤとに応じて定まる移動経路が受信対象エリアに近付いているか否かを判定すると共に、現在の基地局ＩＤとその直前の基地局ＩＤとを位置登録した時の時刻から移動時間を算出する近接判定手段と、前記判定手段にて受信対象エリアに位置していないと判定されても、前記近接判定手段が受信対象エリアに近付いていると判定した場合には前記受信手段が受信した放送の内容を表示し、一方、受信対象エリアに近付く際の移動時間が所定時間を超える場合には表示を中止する第２の表示手段とを具備することを特徴とする。
【０００８】
請求項４に記載の発明では、通信網側に位置登録した基地局ＩＤを記録する移動履歴記録手段と、受信対象エリアを前記基地局ＩＤで表した送信先ＩＤが付与された放送を受信する受信手段と、前記受信手段が受信した放送に付与された送信先ＩＤと一致する基地局ＩＤが前記移動履歴記録手段に記録されている場合、受信対象エリアに位置していると判定する判定手段と、前記判定手段にて受信対象エリアに位置していると判定された場合に、前記受信手段が受信した放送の内容を表示する表示手段と、前記移動履歴記録手段に記録される現在の基地局ＩＤとその直前の基地局ＩＤとに応じて定まる移動経路が受信対象エリアから遠退いているか否かを判定する遠離判定手段と、前記判定手段にて受信対象エリアに位置していると判定されても、前記遠離判定手段が受信対象エリアから遠退いていると判定した場合には前記表示手段の表示を停止する表示停止手段とを具備することを特徴とする。
【０００９】
請求項５に記載の発明では、通信網側に位置登録した基地局ＩＤおよび位置登録時の時刻を記録する移動履歴記録手段と、受信対象エリアを前記基地局ＩＤで表した送信先ＩＤが付与された放送を受信する受信手段と、前記受信手段が受信した放送に付与された送信先ＩＤと一致する基地局ＩＤが前記移動履歴記録手段に記録されている場合、受信対象エリアに位置していると判定する判定手段と、前記判定手段にて受信対象エリアに位置していると判定された場合に、前記受信手段が受信した放送の内容を表示する第１の表示手段と、前記移動履歴記録手段に記録される現在の基地局ＩＤとその直前の基地局ＩＤとに応じて定まる移動経路が受信対象エリアから遠退いているか否かを判定すると共に、現在の基地局ＩＤとその直前の基地局ＩＤとを位置登録した時の時刻から移動時間を算出する遠離判定手段と、前記判定手段にて受信対象エリアに位置していると判定されても、前記遠離判定手段が受信対象エリアから遠退いていると判定した場合には前記受信手段が受信した放送の内容の表示を中止し、一方、受信対象エリアから遠退く際の移動時間が所定時間を超える場合には前記受信手段が受信した放送の内容を表示する第２の表示手段とを具備することを特徴とする。
【００１０】
請求項６に記載の発明では、通信網側に位置登録した基地局ＩＤを記録する移動履歴記録手段と、受信対象エリアを前記基地局ＩＤで表した送信先ＩＤが付与された放送を受信する受信手段と、前記受信手段が受信した放送に付与された送信先ＩＤと一致する基地局ＩＤが前記移動履歴記録手段に記録されている場合、受信対象エリアに位置していると判定する判定手段と、前記判定手段にて受信対象エリアに位置していると判定された場合に、前記受信手段が受信した放送の内容を表示する第１の表示手段と、前記移動履歴記録手段に記録される現在の基地局ＩＤとその直前の基地局ＩＤとに応じて定まる移動経路が受信対象エリアに近付いているか遠退いているかを判定する近接遠離判定手段と、前記判定手段にて受信対象エリアに位置していないと判定されても、前記近接遠離判定手段が受信対象エリアに近付いていると判定した場合に、前記受信手段が受信した放送の内容を表示する第２の表示手段と、前記判定手段にて受信対象エリアに位置していると判定されても、前記近接遠離判定手段が受信対象エリアから遠退いていると判定した場合に、前記第１の表示手段の表示を停止する表示停止手段とを具備することを特徴とする。
【００１１】
請求項７に記載の発明では、通信網側に位置登録した基地局ＩＤおよび位置登録時の時刻を記録する移動履歴記録手段と、受信対象エリアを前記基地局ＩＤで表した送信先ＩＤが付与された放送を受信する受信手段と、前記受信手段が受信した放送に付与された送信先ＩＤと一致する基地局ＩＤが前記移動履歴記録手段に記録されている場合、受信対象エリアに位置していると判定する判定手段と、前記判定手段にて受信対象エリアに位置していると判定された場合に、前記受信手段が受信した放送の内容を表示する第１の表示手段と、前記移動履歴記録手段に記録される現在の基地局ＩＤとその直前の基地局ＩＤとに応じて定まる移動経路が受信対象エリアに近付いているか遠退いているかを判定すると共に、現在の基地局ＩＤとその直前の基地局ＩＤとを位置登録した時の時刻から移動時間を算出する近接遠離判定手段と、前記判定手段にて受信対象エリアに位置していないと判定されても、前記近接遠離判定手段が受信対象エリアに近付いていると判定した場合には前記受信手段が受信した放送の内容を表示し、一方、受信対象エリアに近付く際の移動時間が所定時間を超える場合には表示を中止する第２の表示手段と、前記判定手段にて受信対象エリアに位置していると判定されても、前記近接遠離判定手段が受信対象エリアから遠退いていると判定した場合には前記受信手段が受信した放送の内容の表示を中止し、一方、受信対象エリアから遠退く際の移動時間が所定時間を超える場合には前記受信手段が受信した放送の内容を表示する第３の表示手段とを具備することを特徴とする。
【００１２】
請求項８に記載の発明では、通信網側に位置登録した基地局ＩＤを記録する移動履歴記録処理と、受信対象エリアを前記基地局ＩＤで表した送信先ＩＤが付与された放送を受信する受信処理と、前記受信処理が受信した放送に付与された送信先ＩＤと一致する基地局ＩＤが前記移動履歴記録処理にて記録されている場合、受信対象エリアに位置していると判定する判定処理と、前記判定処理にて受信対象エリアに位置していると判定された場合に、前記受信処理が受信した放送の内容を表示する表示処理とをコンピュータで実行させることを特徴とする。
【００１３】
請求項９に記載の発明では、通信網側に位置登録した基地局ＩＤを記録する移動履歴記録処理と、受信対象エリアを前記基地局ＩＤで表した送信先ＩＤが付与された放送を受信する受信処理と、前記受信処理が受信した放送に付与された送信先ＩＤと一致する基地局ＩＤが前記移動履歴記録処理にて記録されている場合、受信対象エリアに位置していると判定する判定処理と、前記判定処理にて受信対象エリアに位置していると判定された場合に、前記受信処理が受信した放送の内容を表示する第１の表示処理と、前記移動履歴記録処理にて記録される現在の基地局ＩＤとその直前の基地局ＩＤとに応じて定まる移動経路が受信対象エリアに近付いているか否かを判定する近接判定処理と、前記判定処理にて受信対象エリアに位置していないと判定されても、前記近接判定処理が受信対象エリアに近付いていると判定した場合に、前記受信処理が受信した放送の内容を表示する第２の表示処理とをコンピュータで実行させることを特徴とする。
【００１４】
請求項１０に記載の発明では、通信網側に位置登録した基地局ＩＤおよび位置登録時の時刻を記録する移動履歴記録処理と、受信対象エリアを前記基地局ＩＤで表した送信先ＩＤが付与された放送を受信する受信処理と、前記受信処理が受信した放送に付与された送信先ＩＤと一致する基地局ＩＤが前記移動履歴記録処理にて記録されている場合、受信対象エリアに位置していると判定する判定処理と、前記判定処理にて受信対象エリアに位置していると判定された場合に、前記受信処理が受信した放送の内容を表示する第１の表示処理と、前記移動履歴記録処理にて記録される現在の基地局ＩＤとその直前の基地局ＩＤとに応じて定まる移動経路が受信対象エリアに近付いているか否かを判定すると共に、現在の基地局ＩＤとその直前の基地局ＩＤとを位置登録した時の時刻から移動時間を算出する近接判定処理と、前記判定処理にて受信対象エリアに位置していないと判定されても、前記近接判定処理が受信対象エリアに近付いていると判定した場合には前記受信処理が受信した放送の内容を表示し、一方、受信対象エリアに近付く際の移動時間が所定時間を超える場合には表示を中止する第２の表示処理とをコンピュータで実行させることを特徴とする。
【００１５】
請求項１１に記載の発明では、通信網側に位置登録した基地局ＩＤを記録する移動履歴記録処理と、受信対象エリアを前記基地局ＩＤで表した送信先ＩＤが付与された放送を受信する受信処理と、前記受信処理が受信した放送に付与された送信先ＩＤと一致する基地局ＩＤが前記移動履歴記録処理にて記録されている場合、受信対象エリアに位置していると判定する判定処理と、前記判定処理にて受信対象エリアに位置していると判定された場合に、前記受信処理が受信した放送の内容を表示する表示処理と、前記移動履歴記録処理にて記録される現在の基地局ＩＤとその直前の基地局ＩＤとに応じて定まる移動経路が受信対象エリアから遠退いているか否かを判定する遠離判定処理と、前記判定処理にて受信対象エリアに位置していると判定されても、前記遠離判定処理が受信対象エリアから遠退いていると判定した場合には前記表示処理の表示を停止する表示停止処理とをコンピュータで実行させることを特徴とする。
【００１６】
請求項１２に記載の発明では、通信網側に位置登録した基地局ＩＤおよび位置登録時の時刻を記録する移動履歴記録処理と、受信対象エリアを前記基地局ＩＤで表した送信先ＩＤが付与された放送を受信する受信処理と、前記受信処理が受信した放送に付与された送信先ＩＤと一致する基地局ＩＤが前記移動履歴記録処理にて記録されている場合、受信対象エリアに位置していると判定する判定処理と、前記判定処理にて受信対象エリアに位置していると判定された場合に、前記受信処理が受信した放送の内容を表示する第１の表示処理と、前記移動履歴記録処理にて記録される現在の基地局ＩＤとその直前の基地局ＩＤとに応じて定まる移動経路が受信対象エリアから遠退いているか否かを判定すると共に、現在の基地局ＩＤとその直前の基地局ＩＤとを位置登録した時の時刻から移動時間を算出する遠離判定処理と、前記判定処理にて受信対象エリアに位置していると判定されても、前記遠離判定処理が受信対象エリアから遠退いていると判定した場合には前記受信処理が受信した放送の内容の表示を中止し、一方、受信対象エリアから遠退く際の移動時間が所定時間を超える場合には前記受信処理が受信した放送の内容を表示する第２の表示処理とをコンピュータで実行させることを特徴とする。
【００１７】
請求項１３に記載の発明では、通信網側に位置登録した基地局ＩＤを記録する移動履歴記録処理と、受信対象エリアを前記基地局ＩＤで表した送信先ＩＤが付与された放送を受信する受信処理と、前記受信処理が受信した放送に付与された送信先ＩＤと一致する基地局ＩＤが前記移動履歴記録処理にて記録されている場合、受信対象エリアに位置していると判定する判定処理と、前記判定処理にて受信対象エリアに位置していると判定された場合に、前記受信処理が受信した放送の内容を表示する第１の表示処理と、前記移動履歴記録処理にて記録される現在の基地局ＩＤとその直前の基地局ＩＤとに応じて定まる移動経路が受信対象エリアに近付いているか遠退いているかを判定する近接遠離判定処理と、前記判定処理にて受信対象エリアに位置していないと判定されても、前記近接遠離判定処理が受信対象エリアに近付いていると判定した場合に、前記受信処理が受信した放送の内容を表示する第２の表示処理と、前記判定処理にて受信対象エリアに位置していると判定されても、前記近接遠離判定処理が受信対象エリアから遠退いていると判定した場合に、前記第１の表示処理の表示を停止する表示停止処理とをコンピュータで実行させることを特徴とする。
【００１８】
請求項１４に記載の発明では、通信網側に位置登録した基地局ＩＤおよび位置登録時の時刻を記録する移動履歴記録処理と、受信対象エリアを前記基地局ＩＤで表した送信先ＩＤが付与された放送を受信する受信処理と、前記受信処理が受信した放送に付与された送信先ＩＤと一致する基地局ＩＤが前記移動履歴記録処理にて記録されている場合、受信対象エリアに位置していると判定する判定処理と、前記判定処理にて受信対象エリアに位置していると判定された場合に、前記受信処理が受信した放送の内容を表示する第１の表示処理と、前記移動履歴記録処理にて記録される現在の基地局ＩＤとその直前の基地局ＩＤとに応じて定まる移動経路が受信対象エリアに近付いているか遠退いているかを判定すると共に、現在の基地局ＩＤとその直前の基地局ＩＤとを位置登録した時の時刻から移動時間を算出する近接遠離判定処理と、前記判定処理にて受信対象エリアに位置していないと判定されても、前記近接遠離判定処理が受信対象エリアに近付いていると判定した場合には前記受信処理が受信した放送の内容を表示し、一方、受信対象エリアに近付く際の移動時間が所定時間を超える場合には表示を中止する第２の表示処理と、前記判定処理にて受信対象エリアに位置していると判定されても、前記近接遠離判定処理が受信対象エリアから遠退いていると判定した場合には前記受信処理が受信した放送の内容の表示を中止し、一方、受信対象エリアから遠退く際の移動時間が所定時間を超える場合には前記受信処理が受信した放送の内容を表示する第３の表示処理とをコンピュータで実行させることを特徴とする。
【発明の効果】
【００１９】
請求項１、８に記載の発明によれば、通信網側に位置登録した基地局ＩＤを記録しておき、受信対象エリアを前記基地局ＩＤで表した送信先ＩＤが付与された放送を受信すると、受信した放送に付与された送信先ＩＤと一致する基地局ＩＤが記録されている場合、受信対象エリアに位置していると判定され、受信した放送の内容を表示するので、移動先の地域向けのデータ放送を受信することができる。
【００２０】
請求項２、９に記載の発明によれば、通信網側に位置登録した基地局ＩＤを記録しておき、受信対象エリアを前記基地局ＩＤで表した送信先ＩＤが付与された放送を受信すると、受信した放送に付与された送信先ＩＤと一致する基地局ＩＤが記録されている場合、受信対象エリアに位置していると判定され、受信した放送の内容を表示するので、移動先の地域向けのデータ放送を受信することができる。
また、受信対象エリアに位置していないと判定されても、受信対象エリアに近付いていれば、受信した放送の内容を表示することができる。
【００２１】
請求項３、１０に記載の発明によれば、通信網側に位置登録した基地局ＩＤおよび位置登録時の時刻を記録しておき、受信対象エリアを前記基地局ＩＤで表した送信先ＩＤが付与された放送を受信すると、受信した放送に付与された送信先ＩＤと一致する基地局ＩＤが記録されている場合、受信対象エリアに位置していると判定され、受信した放送の内容を表示するので、移動先の地域向けのデータ放送を受信することができる。
また、記録された現在の基地局ＩＤとその直前の基地局ＩＤとに応じて定まる移動経路が受信対象エリアに近付いているか否かを判定すると共に、現在の基地局ＩＤとその直前の基地局ＩＤとを位置登録した時の時刻から移動時間を算出し、受信対象エリアに位置していなくとも、受信対象エリアに近付いていれば、受信した放送の内容を表示し、一方、受信対象エリアに近付く際の移動時間が所定時間を超える場合には表示を中止することができる。
【００２２】
請求項４、１１に記載の発明では、通信網側に位置登録した基地局ＩＤを記録しておき、受信対象エリアを前記基地局ＩＤで表した送信先ＩＤが付与された放送を受信すると、受信した放送に付与された送信先ＩＤと一致する基地局ＩＤが記録されている場合、受信対象エリアに位置していると判定され、受信した放送の内容を表示するので、移動先の地域向けのデータ放送を受信することができる。
また、受信対象エリアに位置していると判定されても、受信対象エリアから遠退いていれば、受信した放送の内容を表示させないようにすることができる。
【００２３】
請求項５、１２に記載の発明では、通信網側に位置登録した基地局ＩＤおよび位置登録時の時刻を記録しておき、受信対象エリアを前記基地局ＩＤで表した送信先ＩＤが付与された放送を受信すると、受信した放送に付与された送信先ＩＤと一致する基地局ＩＤが記録されている場合、受信対象エリアに位置していると判定され、受信した放送の内容を表示するので、移動先の地域向けのデータ放送を受信することができる。
また、記録された現在の基地局ＩＤとその直前の基地局ＩＤとに応じて定まる移動経路が受信対象エリアから遠退いているか否かを判定すると共に、現在の基地局ＩＤとその直前の基地局ＩＤとを位置登録した時の時刻から移動時間を算出し、受信対象エリアに位置していても、受信対象エリアから遠退いていれば、受信した放送の内容の表示を行わず、一方、受信対象エリアから遠退く際の移動時間が所定時間を超える場合には受信した放送の内容を表示することができる。
【００２４】
請求項６、１３に記載の発明では、通信網側に位置登録した基地局ＩＤを記録しておき、受信対象エリアを前記基地局ＩＤで表した送信先ＩＤが付与された放送を受信すると、受信した放送に付与された送信先ＩＤと一致する基地局ＩＤが記録されている場合、受信対象エリアに位置していると判定され、受信した放送の内容を表示するので、移動先の地域向けのデータ放送を受信することができる。
また、記録された現在の基地局ＩＤとその直前の基地局ＩＤとに応じて定まる移動経路が受信対象エリアに近付いているか遠退いているかを判定し、受信対象エリアに位置していなくとも、受信対象エリアに近付いていれば、受信した放送の内容を表示させ、一方、受信対象エリアに位置していても、受信対象エリアから遠退いていれば、受信した放送の内容を表示させないようにすることができる。
【００２５】
請求項７、１４に記載の発明では、通信網側に位置登録した基地局ＩＤおよび位置登録時の時刻を記録しておき、受信対象エリアを前記基地局ＩＤで表した送信先ＩＤが付与された放送を受信すると、受信した放送に付与された送信先ＩＤと一致する基地局ＩＤが記録されている場合、受信対象エリアに位置していると判定され、受信した放送の内容を表示するので、移動先の地域向けのデータ放送を受信することができる。
また、記録された現在の基地局ＩＤとその直前の基地局ＩＤとに応じて定まる移動経路が受信対象エリアに近付いているか遠退いているかを判定すると共に、現在の基地局ＩＤとその直前の基地局ＩＤとを位置登録した時の時刻から移動時間を算出し、受信対象エリアに位置していなくとも、受信対象エリアに近付いていれば、受信した放送の内容を表示させ、一方、受信対象エリアに近付く際の移動時間が所定時間を超える場合にはその表示を行わないようにすることができる。
さらに、受信対象エリアに位置していても、受信対象エリアから遠退いていれば、受信した放送の内容の表示を行わないようにし、一方、受信対象エリアから遠退く際の移動時間が所定時間を超える場合には受信した放送の内容を表示することができる。
【発明を実施するための最良の形態】
【００２６】
以下、図面を参照して本発明の実施の形態について説明する。
Ａ．第１の実施形態
（１）携帯電話１０の構成
図１は第１の実施形態による携帯電話１０の構成を示すブロック図である。この図において、通信処理部１０１は、アンテナＡＮＴ１を介して受信復調した音声データを制御部１０２に出力する一方、制御部１０２から供給される音声データを変調して得た送信信号を高周波増幅してアンテナＡＮＴ１から送信する。制御部１０２は、ＣＰＵおよびベースバンド信号処理用のＤＳＰ等から構成され、後述する操作部１０５のスイッチ操作に応じて各部動作を制御する。具体的には、通信処理部１０１が発生する通話中の音声データを音声信号にＤ／Ａ変換してスピーカ１０６から発音させたり、マイク１０７から出力される音声信号を音声データにＡ／Ｄ変換して通信処理部１０１に供給する音声信号処理や、携帯電話網側と各種制御シーケンス（発着呼、位置登録およびハンドオーバ）を確立させる通信制御処理を実行する他、後述する放送受信部１０９の受信動作を制御する。なお、本発明の要旨に係わる制御部１０２の特徴的な処理動作については追って詳述する。
【００２７】
ＲＯＭ１０３は、制御部１０２により実行される各種処理プログラムや、所定のプログラムで利用される制御データ等を記憶する。なお、ここで言う各種プログラムとは、後述するメインルーチンおよび受信データ処理のプログラムを含む。ＲＡＭ１０４は、制御部１０２が実行する各種処理で使われるフラグ・レジスタデータを一時記憶するワークエリアや、後述する受信データ処理にて参照される移動履歴テーブルＴ１および近接テーブルＴ２を記憶管理するテーブルエリアを備える。移動履歴テーブルＴ１および近接テーブルＴ２の内容については後述する。操作部１０５は、各種操作スイッチを備え、スイッチ操作に対応したスイッチイベントを発生する。具体的には、パワーオンオフする電源スイッチ、通話開始／終了時に操作されるオフフック／オンフックスイッチ、放送受信部１０９をオンオフする受信スイッチおよびダイヤルスイッチと兼用の文字入力スイッチ等を有する。
【００２８】
表示部１０８は、カラー液晶パネルおよび表示ドライバから構成され、制御部１０２の制御の下に、例えば待受画面など各種画面を表示したり、放送受信部１０９が出力する受信データを画面表示する。放送受信部１０９は、受信スイッチ操作に応じてオンオフ設定されるチューナおよびトランスポートデコーダ等から構成され、アンテナＡＮＴ２を介してデジタルテレビジョン放送信号を選局受信し、これをＯＦＤＭ復調して得たトランスポートストリーム信号から制御部１０２が指示する送信先ＩＤ（後述する）のデータ放送を分離抽出して得た受信データを出力する。
【００２９】
（２）移動履歴テーブルＴ１および近接テーブルＴ２の構成
次に、図２を参照して、ＲＡＭ１０４のテーブルエリアに設けられる移動履歴テーブルＴ１および近接テーブルＴ２の構成について説明する。周知のように、携帯電話は、電源投入状態にあると、基地局を介して携帯電話網側に接続して位置登録制御シーケンスを実行し、現在どの基地局のサービス圏内（以下、基地局エリアと称す）にいるのかを網側に知らせると共に、その基地局エリアを表す基地局ＩＤを記憶保持するようになっている。移動履歴テーブルＴ１は、この基地局ＩＤを一定時間毎に記録したものである。例えば、図２（ａ）に図示するように、Ａ市、Ｂ市およびＣ市に黒丸で記された基地局（括弧内が基地局ＩＤを表す）が点在する場合に、矢印で示される経路（軌跡）で携帯電話１０が移動すると、同図（ｂ）に図示する内容が移動履歴テーブルＴ１に登録される。
【００３０】
近接テーブルＴ２とは、移動中の携帯電話１０が地域向け放送の受信対象エリアに近付いているか否かを判断する際に参照するテーブルである。例えば、図２（ａ）に図示するＢ市に受信対象エリアが存在している場合、この受信対象エリアに近付いているか否かを判断する際に参照される近接テーブルＴ２の内容は、同図（ｃ）に図示するものとなる。すなわち、同図（ｃ）に示す近接テーブルＴ２では、隣接のＡ市またはＣ市からＢ市に近付く経路（軌跡）を、経由する基地局ＩＤで表している。
したがって、受信対象エリアに近付いているか否かの判断は、上述の移動履歴テーブルＴ１が表す移動軌跡に合致する軌跡が近接テーブルＴ２に登録されているか否かで決る。また、近接テーブルＴ２では、日本国内における各地域向け放送の受信対象エリア毎にテーブル内容が分けられており、各受信対象エリアに対応するテーブル内容には表示対象ＩＤ（後述する）が付与されるようになっている。
【００３１】
（３）動作
次に、本発明の要旨に係わる動作として、制御部１０２が実行するメインルーチンおよび受信データ処理について図３〜図５を参照して説明する。
【００３２】
＜メインルーチンの動作＞
パワーオン状態にある携帯電話１０において、受信スイッチがオン操作されると、制御部１０２は放送受信機能を担うメインルーチン（図３参照）を実行する。メインルーチンが実行されると、制御部１０２は図３に示すステップＳＡ１に処理を進め、データ放送を受信する放送受信部１０９にイニシャライズを指示する初期化処理を実行する。次いで、ステップＳＡ２では、位置登録制御シーケンスを実行する記録タイミング下にあるかどうかを判断する。記録タイミング下でなければ、判断結果は「ＮＯ」となり、後述のステップＳＡ４に処理を進める。一方、現在どの基地局エリアにいるのかを網側に知らせる位置登録制御シーケンスを実行する記録タイミング下にあると、判断結果が「ＹＥＳ」になり、ステップＳＡ３に進む。
【００３３】
ステップＳＡ３では、網側に知らせた基地局ＩＤを、前述した移動履歴テーブルＴ１に登録して移動履歴を更新し、続くステップＳＡ４では、放送受信部１０９がデータ放送を受信しているか否かを判断する。受信中であると、判断結果は「ＹＥＳ」になり、ステップＳＡ５を介して後述の受信データ処理を実行する。一方、受信中でなければ、判断結果は「ＮＯ」になり、ステップＳＡ６に進み、例えばユーザのチャンネル切替え操作に応じて受信チャンネルの変更を放送受信部１０９に指示する等の、その他の処理を実行した後、上述のステップＳＡ２に処理を戻す。そして以後、受信スイッチのオフ操作にて放送受信部１０９がオフ設定される迄、上記ステップＳＡ２〜ＳＡ６を繰り返す。
【００３４】
＜受信データ処理の動作＞
上述したメインルーチンのステップＳＡ５（図３参照）を介して受信データ処理が実行されると、制御部１０２は図４に示す受信データ処理を実行してステップＳＢ１に進む。ステップＳＢ１では、受信中のデータ放送に付与される送信先ＩＤと一致する基地局ＩＤが移動履歴テーブルＴ１に登録されているか否かを判断する。
【００３５】
ここで、図５（ａ）を参照してデータ放送に付与される送信先ＩＤと、移動履歴テーブルＴ１に登録される基地局ＩＤとの関係を説明する。放送受信部１０９が受信するデータ放送には、例えば図５（ａ）に図示する一例のように、放送コンテンツに送信先ＩＤが付与される。送信先ＩＤとは、地域向け放送の受信対象エリアにある携帯電話網の基地局ＩＤを表す。従って、このステップＳＢ１では、受信対象エリア内に位置しているかどうかを判断する。
【００３６】
受信対象エリア内に位置していれば、判断結果は「ＹＥＳ」になり、ステップＳＢ２に進み、受信データを表示部１０８に画面表示する。従って、図５（ａ）に図示する一例の放送コンテンツがデータ放送されている時に、例えば基地局ＩＤ「１１２０４」のエリア内に位置していると、受信対象エリア内に位置していることになる為、同図（ｂ）に図示する形態で受信データが表示部１０８に画面表示される。
【００３７】
一方、受信対象エリア内に位置していない場合には、上記ステップＳＢ１の判断結果が「ＮＯ」になり、ステップＳＢ３に処理を進める。ステップＳＢ３では、ＲＡＭ１０４に格納される近接テーブルＴ２の内に、送信先ＩＤに一致する表示対象ＩＤのテーブル内容が登録されているか否かを判断する。該当するテーブル内容が近接テーブルＴ２に登録されていなければ、判断結果は「ＮＯ」となり、本処理を完了させる。
【００３８】
これに対し、送信先ＩＤに一致する表示対象ＩＤのテーブル内容が近接テーブルＴ２に登録されていると、判断結果は「ＹＥＳ」となり、ステップＳＢ４に進む。ステップＳＢ４では、ＲＡＭ１０４に格納される移動履歴テーブルＴ１から現在の基地局ＩＤと、その直前の基地局ＩＤとを読み出して直前の基地局エリアから現在の基地局エリアに移動する経路（軌跡）を設定する。次いで、ステップＳＢ５では、上記ステップＳＢ４にて設定した移動経路と合致する軌跡が近接テーブルＴ２に登録されているか否か、つまり受信対象エリアに近付いているかどうかを判断する。受信対象エリアに近付いていなければ、判断結果は「ＮＯ」になり、受信データ表示を行わずに本処理を完了させる。
【００３９】
一方、受信対象エリアに近付いていると、判断結果が「ＹＥＳ」となり、ステップＳＢ２に進み、受信データを表示部１０８に画面表示する。従って、図５（ａ）に図示する一例の放送コンテンツがデータ放送されている時に、受信対象エリア内に位置していないが、その受信対象エリアに近付くように移動していれば、同図（ｂ）に図示する形態で受信データを表示部１０８に画面表示し得るようになる。
【００４０】
このように、第１の実施形態では、受信したデータ放送に付与される送信先ＩＤと一致する基地局ＩＤが移動履歴テーブルＴ１に登録され、受信対象エリア内に位置していると判断されると、受信データを表示部１０８に画面表示するので、移動先の地域向けのデータ放送を受信することが可能になっている。加えて、第１の実施形態では、近接テーブルＴ２を参照して、その受信対象エリアに近付いていると判断されると、受信対象エリア内に位置していなくとも、移動先の地域向けのデータ放送を受信し得るようになる。
【００４１】
Ｂ．第２の実施形態
次に、図６を参照して、第２の実施形態による受信データ処理の動作を説明する。上述した第１の実施形態と同様、メインルーチンのステップＳＡ５（図３参照）を介して第２の実施形態による受信データ処理が実行されると、制御部１０２は図６に示すステップＳＣ１に処理を進め、受信したデータ放送に付与される送信先ＩＤと一致する基地局ＩＤが移動履歴テーブルＴ１に登録されているか否か、つまり受信対象エリア内に位置しているかどうかを判断する。受信対象エリア内に位置していれば、判断結果は「ＹＥＳ」になり、ステップＳＣ２に進み、受信データを表示部１０８に画面表示する。
【００４２】
一方、受信対象エリア内に位置していなければ、上記ステップＳＣ１の判断結果は「ＮＯ」となり、ステップＳＣ３に処理を進め、ＲＡＭ１０４に格納される近接テーブルＴ２の内に、送信先ＩＤに一致する表示対象ＩＤのテーブル内容が登録されているか否かを判断する。該当するテーブル内容が近接テーブルＴ２に登録されていなければ、判断結果は「ＮＯ」となり、本処理を完了させるが、登録されていると、判断結果は「ＹＥＳ」となり、ステップＳＣ４に進む。ステップＳＣ４では、ＲＡＭ１０４に格納される移動履歴テーブルＴ１から現在の基地局ＩＤと、その直前の基地局ＩＤとを読み出して直前の基地局エリアから現在の基地局エリアに移動する経路（軌跡）を設定する。
【００４３】
次いで、ステップＳＣ５では、上記ステップＳＣ４にて設定した移動経路に合致する軌跡が近接テーブルＴ２に登録されているか否か、つまり受信対象エリアに近付いているかどうかを判断する。受信対象エリアに近付いていなければ、判断結果は「ＮＯ」になり、受信データ表示を行わずに本処理を完了させる。
【００４４】
一方、受信対象エリアに近付いていると、判断結果が「ＹＥＳ」となり、ステップＳＣ６に進む。ステップＳＣ６では、ＲＡＭ１０４に格納される移動履歴テーブルＴ１から現在の基地局ＩＤを登録した更新時刻を読み出し、読み出した更新時刻と現在の時刻との差、すなわち現在位置している基地局エリアでの滞在時間を算出する。そして、算出した滞在時間が所定時間を超えていれば、受信対象エリアに近付くように移動していないと見做して判断結果が「ＮＯ」となり、受信データ表示を行わずに本処理を完了させる。これに対し、算出した滞在時間が所定時間以下であれば、受信対象エリアに近付くように移動していると見做して判断結果が「ＹＥＳ」となり、ステップＳＣ２に進み、受信データを表示部１０８に画面表示する。
【００４５】
このように、第２の実施形態では、上述の第１の実施形態と同様、受信したデータ放送に付与される送信先ＩＤと一致する基地局ＩＤが移動履歴テーブルＴ１に登録され、地域向け放送の受信対象エリア内に位置していると判断されると、受信データを表示部１０８に画面表示するので、移動先の地域向けのデータ放送を受信することが可能になっている。加えて、第２の実施形態では、近接テーブルＴ２を参照して、その受信対象エリアに近付くように移動しているかどうかを判断し、受信対象エリアに近付くように移動していても、その移動に要する時間が所定時間を超えていれば、受信対象エリアに近付くように移動していないと見做して受信データの表示を行わないようにすることができる。
【００４６】
Ｃ．第３の実施形態
次に、第３の実施形態について説明する。第３の実施形態では、上述した第１および第２の実施形態で説明した近接テーブルＴ２に替えて、遠離テーブルＴ３をＲＡＭ１０４のテーブルエリアに備える。
遠離テーブルＴ３とは、移動中の携帯電話１０が地域向け放送の受信対象エリアから遠退いているか否かを判断する際に参照するテーブルである。例えば、図７（ａ）に図示するＤ市に地域向け放送の受信対象エリアが存在し、この受信対象エリアから遠退いているか否かを判断する際に参照される近接テーブルＴ３の内容は、同図（ｂ）に図示するものとなる。
【００４７】
すなわち、同図（ｂ）に示す近接テーブルＴ３では、Ｄ市から遠退く経路（軌跡）を経由する基地局ＩＤで表している。したがって、受信対象エリアから遠退いているか否かの判断は、前述した移動履歴テーブルＴ１が表す移動軌跡に合致する軌跡が遠離テーブルＴ３に登録されているか否かで決る。また、遠離テーブルＴ３では、日本国内における各地域向け放送の受信対象エリア毎にテーブル内容が分けられており、各受信対象エリアに対応するテーブル内容には表示対象ＩＤが付与されている。
【００４８】
次に、こうした遠離テーブルＴ３を用いた第３の実施形態による受信データ処理の動作について図８を参照して説明する。前述した第１の実施形態と同様、メインルーチンのステップＳＡ５（図３参照）を介して第３の実施形態による受信データ処理が実行されると、制御部１０２は図８に示すステップＳＤ１に処理を進める。ステップＳＤ１では、受信したデータ放送に付与される送信先ＩＤと一致する基地局ＩＤが移動履歴テーブルＴ１に登録されているか否か、つまり受信対象エリア内に位置しているかどうかを判断する。
【００４９】
受信対象エリア内に位置していなければ、判断結果は「ＮＯ」となり、受信データ表示を行わずに本処理を完了させる。一方、受信対象エリア内に位置していると、判断結果は「ＹＥＳ」になり、ステップＳＤ２に進み、ＲＡＭ１０４に格納される遠離テーブルＴ３の内に、送信先ＩＤに一致する表示対象ＩＤのテーブル内容が登録されているか否かを判断する。該当するテーブル内容が近接テーブルＴ３に登録されていなければ、判断結果は「ＮＯ」となり、ステップＳＤ３に進み、受信したデータ放送の内容を表示部１０８に画面表示する。
【００５０】
これに対し、該当するテーブル内容が近接テーブルＴ３に登録されていると、上記ステップＳＤ２の判断結果は「ＹＥＳ」となり、ステップＳＤ４に進む。ステップＳＤ４では、ＲＡＭ１０４に格納される移動履歴テーブルＴ１から現在の基地局ＩＤと、その直前の基地局ＩＤとを読み出して直前の基地局エリアから現在の基地局エリアに移動する経路（軌跡）を設定する。次いで、ステップＳＤ５では、上記ステップＳＤ４にて設定した移動経路に合致する軌跡が遠離テーブルＴ３に登録されているか否か、つまり受信対象エリアから遠退いているかどうかを判断する。受信対象エリアから遠退いていると、判断結果が「ＹＥＳ」になり、受信データ表示を行わずに本処理を完了させる。一方、受信対象エリアから遠退いていなければ、判断結果は「ＮＯ」となり、ステップＳＤ３に進み、受信データを表示部１０８に画面表示する。
【００５１】
このように、第３の実施形態では、受信したデータ放送に付与される送信先ＩＤと一致する基地局ＩＤが移動履歴テーブルＴ１に登録され、地域向け放送の受信対象エリア内に位置していると判断され、送信先ＩＤに一致する表示対象ＩＤのテーブル内容が遠離テーブルＴ３に登録されていなければ、受信データを表示部１０８に画面表示するので、移動先の地域向けのデータ放送を受信することが可能になっている。加えて、第３の実施形態では、地域向け放送の受信対象エリア内に位置しても、受信対象エリアから遠退いている場合には、受信データを表示しないようにすることも可能になっている。
【００５２】
Ｄ．第４の実施形態
次に、図９を参照して、第４の実施形態による受信データ処理の動作を説明する。上述した第３の実施形態と同様、メインルーチンのステップＳＡ５（図３参照）を介して第３の実施形態による受信データ処理が実行されると、制御部１０２は図９に示すステップＳＥ１に処理を進める。ステップＳＥ１では、受信したデータ放送に付与される送信先ＩＤと一致する基地局ＩＤが移動履歴テーブルＴ１に登録されているか否か、つまり受信対象エリア内に位置しているかどうかを判断する。受信対象エリア内に位置していなければ、判断結果は「ＮＯ」となり、受信データ表示を行わずに本処理を完了させる。
【００５３】
一方、受信対象エリア内に位置していると、上記ステップＳＥ１の判断結果が「ＹＥＳ」になり、ステップＳＥ２に進む。ステップＳＥ２では、送信先ＩＤに一致する表示対象ＩＤのテーブル内容がＲＡＭ１０４に格納される遠離テーブルＴ３に登録されているか否かを判断する。該当するテーブル内容が遠離テーブルＴ３に登録されていなければ、判断結果は「ＮＯ」となり、ステップＳＥ３に進み、受信データを表示部１０８に画面表示する。
【００５４】
これに対し、該当するテーブル内容が遠離テーブルＴ３に登録されていると、上記ステップＳＥ２の判断結果が「ＹＥＳ」となり、ステップＳＥ４に進む。ステップＳＥ４では、ＲＡＭ１０４に格納される移動履歴テーブルＴ１から現在の基地局ＩＤと、その直前の基地局ＩＤとを読み出して直前の基地局エリアから現在の基地局エリアに移動した経路（軌跡）を設定する。次いで、ステップＳＥ５では、上記ステップＳＥ４にて設定した移動経路に合致する軌跡が遠離テーブルＴ３に登録されているか否か、つまり受信対象エリアから遠退いているかどうかを判断する。受信対象エリアから遠退いていなければ、判断結果は「ＮＯ」となり、ステップＳＥ３に進み、受信データを表示部１０８に画面表示する。
【００５５】
一方、受信対象エリアから遠退いていると、判断結果が「ＹＥＳ」になり、ステップＳＥ６に進む。ステップＳＥ６では、ＲＡＭ１０４に格納される移動履歴テーブルＴ１から現在の基地局ＩＤを登録した更新時刻を読み出し、読み出した更新時刻と現在の時刻との差、すなわち現在位置している基地局エリアでの滞在時間を算出する。そして、算出した滞在時間が所定時間以上であれば、受信対象エリアから遠退くように移動していないと見做して判断結果が「ＹＥＳ」となり、ステップＳＥ３に進み、受信データを表示部１０８に画面表示する。これに対し、算出した滞在時間が所定時間未満であると、受信対象エリアから遠退くように移動していると見做して判断結果は「ＮＯ」になり、受信データ表示を行わずに本処理を完了させる。
【００５６】
このように、第４の実施形態では、受信したデータ放送に付与される送信先ＩＤと一致する基地局ＩＤが移動履歴テーブルＴ１に登録され、地域向け放送の受信対象エリア内に位置していると判断され、送信先ＩＤに一致する表示対象ＩＤのテーブル内容が遠離テーブルＴ３に登録されていなければ、受信データを表示部１０８に画面表示するので、移動先の地域向けのデータ放送を受信することが可能になっている。加えて、第４の実施形態では、遠離テーブルＴ３を参照して、受信対象エリアから遠退くように移動しているかどうかを判断し、遠退くように移動していても、その移動に要する時間が所定時間以上であると、受信対象エリアから遠退くように移動していないと見做して受信データを表示することができる。
【００５７】
Ｅ．その他の実施形態
上述した第１〜第４の実施形態に開示の技術を組合わせ、その他の実施形態を構成することも可能である。すなわち、ＲＡＭ１０４のテーブルエリアに、前述した移動履歴テーブルＴ１、近接テーブルＴ２および遠離テーブルＴ３を設けておき、受信したデータ放送に付与される送信先ＩＤと一致する基地局ＩＤが移動履歴テーブルＴ１に登録され、受信対象エリア内に位置していると判断されると、受信データを表示部１０８に画面表示することで、移動先の地域向けのデータ放送を受信し得るようになる。
【００５８】
また、移動履歴テーブルＴ１に基づき設定した移動経路（軌跡）が、近接テーブルＴ２に登録されていると、受信対象エリアに近付くように移動していると判断し、遠離テーブルＴ３に登録されていると、受信対象エリアから遠退くように移動していると判断する。そして、受信対象エリアに位置していないと判定されても受信対象エリアに近付いていれば、受信データを表示し、一方、受信対象エリアに位置していると判定されても受信対象エリアから遠退いていると、受信データの表示を行わないようすることができる。
【００５９】
さらに、受信対象エリアに近付くように移動していても移動に要する時間が所定時間を超えていれば、受信対象エリアに近付いていないと見做して受信データの表示を行わないようにしたり、受信対象エリアから遠退くように移動していても移動に要する時間が所定時間を超えていれば、受信対象エリアから遠退いていないと見做して受信データを表示させたりすることができる。
【図面の簡単な説明】
【００６０】
【図１】本発明による第１の実施形態の構成を示すブロック図である。
【図２】移動履歴テーブルＴ１および近接テーブルＴ２の構成を説明するための図である。
【図３】第１の実施形態によるメインルーチンの動作を示すフローチャートである。
【図４】第１の実施形態による受信データ処理の動作を示すフローチャートである。
【図５】データ放送に含まれる送信先ＩＤおよび受信データ処理の動作を説明するための図である。
【図６】第２の実施形態による受信データ処理の動作を示すフローチャートである。
【図７】遠離テーブルＴ３の構成を説明するための図である。
【図８】第３の実施形態による受信データ処理の動作を示すフローチャートである。
【図９】第４の実施形態による受信データ処理の動作を示すフローチャートである。
【符号の説明】
【００６１】
１０  携帯電話
１０１  通信処理部
１０２  制御部
１０３  ＲＯＭ
１０４  ＲＡＭ
１０５  操作部
１０６  マイク
１０７  スピーカ
１０８  表示部
１０９  放送受信部
【図１】
2005341113.tif 000003
【図２】
2005341113.tif 000004
【図３】
2005341113.tif 000005
【図４】
2005341113.tif 000006
【図５】
2005341113.tif 000007
【図６】
2005341113.tif 000008
【図７】
2005341113.tif 000009
【図８】
2005341113.tif 000010
【図９】
2005341113.tif 000011